【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
第１サブセット及び第２サブセットで構成されるノードＢアンテナセットから基準信号（ＲＳ）を伝送する方法であって、
前記ノードＢは、伝送シンボルで構成される伝送時間間隔に物理的な下向きリンク制御チャンネル（ＰＤＣＣＨ）で制御データ信号を伝送し、物理的な下向きリンクデータチャンネル（ＰＤＳＣＨ）で情報データ信号を伝送し、前記ＰＤＣＣＨは、前記ＰＤＳＣＨとは異なる伝送シンボルに位置し、前記方法は、
伝送時間間隔のＰＤＣＣＨ伝送シンボル及びＰＤＳＣＨ伝送シンボルで、いずれもノードＢアンテナセットの前記第１サブセットからＲＳを伝送するステップと、
前記伝送時間間隔のＰＤＳＣＨ伝送シンボルで、前記ノードＢアンテナセットの前記第２サブセットからＲＳを伝送するステップと、を含むことを特徴とする方法。
【請求項２】
前記ノードＢのレートは、前記ノードＢアンテナセットの前記第２サブセットからのＲＳ伝送に利用される資源を含む前記情報データ信号に合わせることを特徴とする請求項１に記載の方法。
【請求項３】
前記ノードＢは、前記ノードＢアンテナセットの第２サブセットからのＲＳ伝送に利用される資源から、前記情報データ信号をパンクチャリングすることを特徴とする請求項１又は２に記載の方法。
【請求項４】
前記ノードＢアンテナセットの前記第２サブセットからのＲＳ伝送のための前記伝送時間間隔のセットにおける第１伝送時間間隔は、セルＩＤから決定されることを特徴とする請求項１乃至３のいずれか一項に記載の方法。
【請求項５】
前記ノードＢは、第１カテゴリー及び第２カテゴリーのユーザー装置（ＵＥ）と通信を行い、前記第２カテゴリーのＵＥは、前記ノードＢからのブロードキャストシグナリングを解釈することを特徴とする請求項１乃至４のいずれか一項に記載の方法。
【請求項６】
前記ノードＢアンテナセットの前記第２サブセットからの前記ＲＳは、チャンネル品質推定を獲得するために利用されることを特徴とする請求項１乃至５のいずれか一項に記載の方法。
【請求項７】
周波数分割マルチプレクシング及び時間分割マルチプレクシングを利用して、前記ノードＢアンテナセットの前記第１サブセットからＲＳを伝送するステップと、
時間ドメイン及び周波数ドメインで、符号分割マルチプレクシングを利用して、前記ノードＢアンテナセットの前記第２サブセットからＲＳを伝送するステップと、をさらに含むことを特徴とする請求項１乃至６のいずれか一項に記載の方法。
【請求項８】
連続的な時間間隔に、前記ノードＢアンテナセットの前記第１サブセットからＲＳを伝送するステップと、
非連続的な伝送時間間隔に、前記ノードＢアンテナセットの前記第２サブセットからＲＳを伝送するステップと、をさらに含むことを特徴とする請求項１乃至７のいずれか一項に記載の方法。
【請求項９】
全体の動作帯域幅にわたって、前記ノードＢアンテナセットの前記第１サブセットからＲＳを伝送するステップと、
前記全体の動作帯域幅より狭い動作帯域幅の一部にわたって、前記ノードＢアンテナセットの前記第２サブセットからＲＳを伝送するステップと、を含むことを特徴とする請求項１乃至８のいずれか一項に記載の方法。
【請求項１０】
連続的な時間間隔に、前記ノードＢアンテナセットの前記第１サブセットからＲＳを伝送するステップと、
伝送時間間隔に、前記ノードＢアンテナセットの前記第２サブセットからＲＳを周期的に伝送するステップと、を含み、
伝送周期は、ブロードキャストシグナリングを通じて前記ノードＢにより伝達されることを特徴とする請求項１乃至９のいずれか一項に記載の方法。
【請求項１１】
制御情報信号の復調のために、前記第１サブセットまたは前記第２サブセットでの要素からの前記ＲＳ伝送を前記ノードＢで結合するステップと、
データ情報信号の復調のために、前記第１サブセット及び前記第２サブセットのそれぞれの要素からＲＳを分離して伝送するステップと、をさらに含むことを特徴とする請求項１乃至１０のいずれか一項に記載の方法。
【請求項１２】
前記情報データ信号の前記復調に利用されるＲＳの個数は、８であり、情報制御信号の前記復調に利用されるＲＳの個数は、４であることを特徴とする請求項１１に記載の方法。
【請求項１３】
第１サブセット及び第２サブセットで構成されるノードＢアンテナセットから基準信号（ＲＳ）を伝送する装置であって、
前記ノードＢは、伝送シンボルで構成される伝送時間間隔に物理的な下向きリンク制御チャンネル（ＰＤＣＣＨ）へ制御データ信号を伝送し、物理的な下向きリンクデータチャンネル（ＰＤＳＣＨ）へ情報データ信号を伝送し、前記ＰＤＣＣＨは、前記ＰＤＳＣＨとは異なる伝送シンボルに位置し、前記装置は、
伝送時間間隔のＰＤＣＣＨ伝送シンボル及びＰＤＳＣＨ伝送シンボルで、いずれもノードＢアンテナセットの前記第１サブセットからＲＳを伝送する第１伝送器と、
前記伝送時間間隔のＰＤＳＣＨ伝送シンボルで、前記ノードＢアンテナセットの前記第２サブセットからＲＳを伝送する第２伝送器と、を備えることを特徴とする装置。
【請求項１４】
前記ノードＢのレートは、前記ノードＢアンテナセットの前記第２サブセットからのＲＳ伝送に利用される資源を含む前記情報データ信号に合わせることを特徴とする請求項１３に記載の装置。
【請求項１５】
前記ノードＢは、前記ノードＢアンテナセットの第２サブセットからのＲＳ伝送に利用される資源から、前記情報データ信号をパンクチャリングすることを特徴とする請求項１３又は１４に記載の装置。
【請求項１６】
前記ノードＢアンテナセットの前記第２サブセットからのＲＳ伝送のための前記伝送時間間隔のセットにおける第１伝送時間間隔は、セルＩＤから決定されることを特徴とする請求項１３乃至１５のいずれか一項に記載の装置。
【請求項１７】
前記ノードＢは、第１カテゴリー及び第２カテゴリーのユーザー装置（ＵＥ）と通信を行い、前記第２カテゴリーのＵＥは、前記ノードＢからのブロードキャストシグナリングを解釈することを特徴とする請求項１３乃至１６のいずれか一項に記載の装置。
【請求項１８】
前記ノードＢアンテナセットの前記第２サブセットからの前記ＲＳは、チャンネル品質推定を獲得するために利用されることを特徴とする請求項１３乃至１７のいずれか一項に記載の装置。
【請求項１９】
前記ノードＢアンテナセットの前記第１サブセットは、周波数分割マルチプレクシング及び時間分割マルチプレクシングを利用して、ＲＳを伝送し、
前記ノードＢアンテナセットの前記第２サブセットは、時間ドメイン及び周波数ドメインで、符号分割マルチプレクシングを利用して、ＲＳを伝送することを特徴とする請求項１３乃至１８のいずれか一項に記載の装置。
【請求項２０】
前記ノードＢアンテナセットの前記第１サブセットは、連続的な時間間隔に、ＲＳを伝送し、
前記ノードＢアンテナセットの前記第２サブセットは、非連続的な伝送時間間隔に、ＲＳを伝送することを特徴とする請求項１３乃至１９のいずれか一項に記載の装置。
【請求項２１】
前記ノードＢアンテナセットの前記第１サブセットは、全体の動作帯域幅にわたって、ＲＳを伝送し、
前記ノードＢアンテナセットの前記第２サブセットは、前記全体の動作帯域幅より狭い動作帯域幅の一部にわたって、ＲＳを伝送することを特徴とする請求項１３乃至２０のいずれか一項に記載の装置。
【請求項２２】
前記ノードＢアンテナセットの前記第１サブセットは、連続的な時間間隔に、 ＲＳを伝送し、
前記ノードＢアンテナセットの前記第２サブセットは、伝送時間間隔に、ＲＳを周期的に伝送し、
伝送周期は、ブロードキャストシグナリングを通じて前記ノードＢにより伝達されることを特徴とする請求項１３乃至２１のいずれか一項に記載の装置。
【請求項２３】
制御情報信号の復調のために、前記第１サブセットまたは前記第２サブセットでの要素からの前記ＲＳ伝送を前記ノードＢで結合するステップと、
データ情報信号の復調のために、前記第１サブセット及び前記第２サブセットのそれぞれの要素からＲＳを分離して伝送するステップと、をさらに含むことを特徴とする請求項１３乃至２２のいずれか一項に記載の装置。
【請求項２４】
前記情報データ信号の前記復調に利用されるＲＳの個数は、８であり、情報制御信号の前記復調に利用されるＲＳの個数は、４であることを特徴とする請求項２３に記載の装置。
【請求項２５】
第１サブセット及び第２サブセットで構成されるノードＢアンテナセットから基準信号（ＲＳ）を受信する方法であって、
前記ノードＢは、伝送シンボルで構成される伝送時間間隔に物理的な下向きリンク制御チャンネル（ＰＤＣＣＨ）で制御データ信号を伝送し、物理的な下向きリンクデータチャンネル（ＰＤＳＣＨ）で情報データ信号を伝送し、前記ＰＤＣＣＨは、前記ＰＤＳＣＨとは異なる伝送シンボルに位置し、前記方法は、
伝送時間間隔のＰＤＣＣＨ伝送シンボル及びＰＤＳＣＨ伝送シンボルで、いずれもノードＢアンテナセットの前記第１サブセットからＲＳを伝送するステップと、
前記伝送時間間隔のＰＤＳＣＨ伝送シンボルで、前記ノードＢアンテナセットの前記第２サブセットからＲＳを伝送するステップと、を含むことを特徴とする方法。
【請求項２６】
前記ノードＢのレートは、前記ノードＢアンテナセットの前記第２サブセットからのＲＳ伝送に利用される資源を含む前記情報データ信号に合わせることを特徴とする請求項２５に記載の方法。
【請求項２７】
前記ノードＢは、前記ノードＢアンテナセットの第２サブセットからのＲＳ伝送に利用される資源から、前記情報データ信号をパンクチャリングすることを特徴とする請求項２５又は２６に記載の方法。
【請求項２８】
前記ノードＢアンテナセットの前記第２サブセットからのＲＳ伝送のための前記伝送時間間隔のセットにおける第１伝送時間間隔は、セルＩＤから決定されることを特徴とする請求項２５乃至２７のいずれか一項に記載の方法。
【請求項２９】
前記ノードＢは、第１カテゴリー及び第２カテゴリーのユーザー装置（ＵＥ）と通信を行い、前記第２カテゴリーのＵＥは、前記ノードＢからのブロードキャストシグナリングを解釈することを特徴とする請求項２５乃至２８のいずれか一項に記載の方法。
【請求項３０】
前記ノードＢアンテナセットの前記第２サブセットからの前記ＲＳは、チャンネル品質推定を獲得するために利用されることを特徴とする請求項２５乃至２９のいずれか一項に記載の方法。
【請求項３１】
周波数分割マルチプレクシング及び時間分割マルチプレクシングを利用して、前記ノードＢアンテナセットの前記第１サブセットからＲＳを伝送するステップと、
時間ドメイン及び周波数ドメインで、符号分割マルチプレクシングを利用して、前記ノードＢアンテナセットの前記第２サブセットからＲＳを伝送するステップと、をさらに含むことを特徴とする請求項２５乃至３０のいずれか一項に記載の方法。
【請求項３２】
連続的な時間間隔に、前記ノードＢアンテナセットの前記第１サブセットからＲＳを伝送するステップと、
非連続的な伝送時間間隔に、前記ノードＢアンテナセットの前記第２サブセットからＲＳを伝送するステップと、をさらに含むことを特徴とする請求項２５乃至３１のいずれか一項に記載の方法。
【請求項３３】
全体の動作帯域幅にわたって、前記ノードＢアンテナセットの前記第１サブセットからＲＳを伝送するステップと、
前記全体の動作帯域幅より狭い動作帯域幅の一部にわたって、前記ノードＢアンテナセットの前記第２サブセットからＲＳを伝送するステップと、を含むことを特徴とする請求項２５乃至３２のいずれか一項に記載の方法。
【請求項３４】
連続的な時間間隔に、前記ノードＢアンテナセットの前記第１サブセットからＲＳを伝送するステップと、
伝送時間間隔に、前記ノードＢアンテナセットの前記第２サブセットからＲＳを周期的に伝送するステップと、を含み、
伝送周期は、ブロードキャストシグナリングを通じて前記ノードＢにより伝達されることを特徴とする請求項２５乃至３３のいずれか一項に記載の方法。
【請求項３５】
制御情報信号の復調のために、前記第１サブセットまたは前記第２サブセットでの要素からの前記ＲＳ伝送を前記ノードＢで結合するステップと、
データ情報信号の復調のために、前記第１サブセット及び前記第２サブセットのそれぞれの要素からＲＳを分離して伝送するステップと、をさらに含むことを特徴とする請求項２５乃至３４いずれか一項に記載の方法。
【請求項３６】
前記情報データ信号の前記復調に利用されるＲＳの個数は、８であり、情報制御信号の前記復調に利用されるＲＳの個数は、４であることを特徴とする請求項３５に記載の方法。
【請求項３７】
第１サブセット及び第２サブセットで構成されるノードＢアンテナセットから基準信号（ＲＳ）を受信する装置であって、
前記ノードＢは、伝送シンボルで構成される伝送時間間隔に物理的な下向きリンク制御チャンネル（ＰＤＣＣＨ）へ制御データ信号を伝送し、物理的な下向きリンクデータチャンネル（ＰＤＳＣＨ）へ情報データ信号を伝送し、前記ＰＤＣＣＨは、前記ＰＤＳＣＨとは異なる伝送シンボルに位置し、前記装置は、
伝送時間間隔のＰＤＣＣＨ伝送シンボル及びＰＤＳＣＨ伝送シンボルで、いずれもノードＢアンテナセットの前記第１サブセットからＲＳを受信する第１受信器と、
前記伝送時間間隔のＰＤＳＣＨ伝送シンボルで、前記ノードＢアンテナセットの前記第２サブセットからＲＳを受信する第２受信器と、を備えることを特徴とする装置。
【請求項３８】
前記ノードＢのレートは、前記ノードＢアンテナセットの前記第２サブセットからのＲＳ伝送に利用される資源を含む前記情報データ信号に合わせることを特徴とする請求項３７に記載の装置。
【請求項３９】
前記ノードＢは、前記ノードＢアンテナセットの第２サブセットからのＲＳ伝送に利用される資源から、前記情報データ信号をパンクチャリングすることを特徴とする請求項３７又は３８に記載の装置。
【請求項４０】
前記ノードＢアンテナセットの前記第２サブセットからのＲＳ伝送のための前記伝送時間間隔のセットにおける第１伝送時間間隔は、セルＩＤから決定されることを特徴とする請求項３７乃至３９のいずれか一項に記載の装置。
【請求項４１】
前記ノードＢは、第１カテゴリー及び第２カテゴリーのユーザー装置（ＵＥ）と通信を行い、前記第２カテゴリーのＵＥは、前記ノードＢからのブロードキャストシグナリングを解釈することを特徴とする請求項３７乃至４０のいずれか一項に記載の装置。
【請求項４２】
前記ノードＢアンテナセットの前記第２サブセットからの前記ＲＳは、チャンネル品質推定を獲得するために利用されることを特徴とする請求項３７乃至４１のいずれか一項に記載の装置。
【請求項４３】
前記ノードＢアンテナセットの前記第１サブセットは、周波数分割マルチプレクシング及び時間分割マルチプレクシングを利用して、ＲＳを伝送し、
前記ノードＢアンテナセットの前記第２サブセットは、時間ドメイン及び周波数ドメインで、符号分割マルチプレクシングを利用して、ＲＳを伝送することを特徴とする請求項３７乃至４２のいずれか一項に記載の装置。
【請求項４４】
前記ノードＢアンテナセットの前記第１サブセットは、連続的な時間間隔に、ＲＳを伝送し、
前記ノードＢアンテナセットの前記第２サブセットは、非連続的な伝送時間間隔に、ＲＳを伝送することを特徴とする請求項３７乃至４３のいずれか一項に記載の装置。
【請求項４５】
前記ノードＢアンテナセットの前記第１サブセットは、全体の動作帯域幅にわたって、ＲＳを伝送し、
前記ノードＢアンテナセットの前記第２サブセットは、前記全体の動作帯域幅より狭い動作帯域幅の一部にわたって、ＲＳを伝送することを特徴とする請求項３７乃至４４のいずれか一項に記載の装置。
【請求項４６】
前記ノードＢアンテナセットの前記第１サブセットは、連続的な時間間隔に、ＲＳを伝送し、
前記ノードＢアンテナセットの前記第２サブセットは、伝送時間間隔に、ＲＳを周期的に伝送し、
伝送周期は、ブロードキャストシグナリングを通じて前記ノードＢにより伝達されることを特徴とする請求項３７乃至４５のいずれか一項に記載の装置。
【請求項４７】
制御情報信号の復調のために、前記第１サブセットまたは前記第２サブセットでの要素からの前記ＲＳ伝送を前記ノードＢで結合するステップと、
データ情報信号の復調のために、前記第１サブセット及び前記第２サブセットのそれぞれの要素からＲＳを分離して伝送するステップと、をさらに含むことを特徴とする請求項３７乃至４６のいずれか一項に記載の装置。
【請求項４８】
前記情報データ信号の前記復調に利用されるＲＳの個数は、８であり、情報制御信号の前記復調に利用されるＲＳの個数は、４であることを特徴とする請求項４７に記載の装置。